(57)【要約】【課題】基地局の異常の発生要因を判別し、発生した異常に対して迅速な対応を図ることができる基地局の遠隔監視技術を提供する。【解決手段】通信ネットワークの基地局を当該基地局とは離間して設けられた監視局で遠隔監視する遠隔監視システムにおいて、基地局に設けられ、所定の機能を担う機能基板の動作状態を表示する表示手段と、基地局に設けられ、表示手段を撮像する撮像手段と、撮像手段が撮像した画像に基づいて表示手段の表示状態を判別する判別手段とを備え、監視局は、判別手段の判定結果に基づいて機能基板の動作状態を監視する。【選択図】図２
2007228495.tif 000002
【特許請求の範囲】
【請求項１】
通信ネットワークの基地局を当該基地局とは離間して設けられた監視局で遠隔監視する遠隔監視システムであって、
前記基地局に設けられ、所定の機能を担う機能基板の動作状態を表示する表示手段と、
前記基地局に設けられ、前記表示手段を撮像する撮像手段と、
前記撮像手段が撮像した画像に基づいて前記表示手段の表示状態を判別する判別手段と、を備え、
前記監視局は、前記判別手段の判定結果に基づいて前記機能基板の動作状態を監視することを特徴とする基地局の遠隔監視システム。
【請求項２】
表示手段は複数設けられた機能基板の各々に設けられ、
撮像手段は、前記複数の表示手段を１つの画像として撮像する請求項１記載の基地局の遠隔監視システム。
【請求項３】
撮像手段及び表示手段に対向する反射手段をさらに備え、
前記撮像手段は、前記反射手段に反射して得られる前記表示手段の反射像を撮像する請求項１または２記載の基地局の遠隔監視システム。
【請求項４】
判別手段は、前記表示手段の各表示状態の画像を示す画像データを予め記憶し、撮像手段が撮像した画像と前記画像データとを比較することにより前記表示手段の表示状態を判別する請求項１〜３いずれかに記載の基地局の遠隔監視システム。
【請求項５】
前記基地局が、カメラを有する試験用擬似端末を有し、前記カメラを撮像手段とする請求項１〜４いずれか記載の基地局の遠隔監視システム。
【発明の詳細な説明】
【技術分野】
【０００１】
本発明は、通信ネットワークの基地局を遠隔で監視する基地局の遠隔監視システムに関する。
【背景技術】
【０００２】
通信ネットワークを構成する複数の基地局は、機能停止を来たさないことが重要な要件として求められるので、様々な監視手法で監視されている。そして、監視手法の１つとして、監視センターによって各基地局を遠隔監視することが行われている。この遠隔監視技術は、基地局内に設けられた監視機能部が本体機能部の動作状態を監視し、本体機能部の異常発生を監視センターに通報するものである。監視センターは、監視機能部からの通報に基づいて基地局の異常に対して迅速な対策を実行することができる。
また、下記特許文献１には、無線基地局の増幅器を冷却する冷却ファンの回転異常を監視する技術が開示されている。この監視技術は、冷却ファン回転数の異常や段階的に区分した減速率を無線基地局内に設けたＬＥＤ（Light Emitting Diode）によって表示し、無線基地局を巡回監視する監視員がＬＥＤの点灯状態を確認することによって冷却ファンの異常を確認するものである。
【特許文献１】特開２００３−１６９０２９号公報
【発明の開示】
【発明が解決しようとする課題】
【０００３】
上記遠隔監視技術及び特許文献１の技術は、基地局の異常に対して発生要因を切り分けて速やかな対策を施すことができないという問題を持っている。通常の基地局は、本体機能部が所定の機能を有する複数の機能基板（回路基板）と当該各機能基板を相互接続するバックプレーンとによって構成されるが、異常が発生した場合に機能基板とバックプレーンとの何れの異常が原因かを切り分けることができない。
例えば遠隔監視技術では、監視機能部は本体機能部を構成する機能基板とバックプレーンとの何れが異常かを検知することができず、一方、特許文献１の技術では、監視員が無線基地局に出向いてＬＥＤの点灯状態を確認するので、速やかな対策を施すことができない。
【０００４】
本発明は、このような事情に鑑みてなされたものであり、基地局の異常を遠隔監視するに当たって、異常の発生要因を切り分け、かつ、発生した異常に対して迅速な対応を図ることを目的としている。
【課題を解決するための手段】
【０００５】
上記目的を達成するため、本発明では、基地局の遠隔監視システムに係る第１の解決手段として、通信ネットワークの基地局を当該基地局とは離間して設けられた監視局で遠隔監視する遠隔監視システムにおいて、基地局に設けられ、所定の機能を担う機能基板の動作状態を表示する表示手段と、基地局に設けられ、表示手段を撮像する撮像手段と、撮像手段が撮像した画像に基づいて表示手段の表示状態を判別する判別手段とを備え、監視局は、判別手段の判定結果に基づいて機能基板の動作状態を監視する、という手段を採用する。
【０００６】
また、基地局の遠隔監視システムに係る第２の解決手段として、上記第１の解決手段において、表示手段は複数設けられた機能基板の各々に設けられ、撮像手段は、複数の表示手段を１つの画像として撮像する、という手段を採用する。
【０００７】
また、基地局の遠隔監視システムに係る第３の解決手段として、上記第１または第２の解決手段において、撮像手段及び表示手段に対向する反射手段をさらに備え、撮像手段は、反射手段に反射して得られる表示手段の反射像を撮像する、という手段を採用する。
【０００８】
また、基地局の遠隔監視システムに係る第４の解決手段として、上記第１〜第３いずれかの解決手段において、判別手段は、表示手段の各表示状態の画像を示す画像データを予め記憶し、撮像手段が撮像した画像と画像データとを比較することにより表示手段の表示状態を判別する、という手段を採用する。
【０００９】
さらに、基地局の遠隔監視システムに係る第５の解決手段として、上記第１〜第４いずれかの解決手段において、基地局が、カメラを有する試験用擬似端末を有し、カメラを撮像手段とする、という手段を採用する。
【発明の効果】
【００１０】
このような本発明によれば、判別手段が撮像手段が撮像した表示手段の画像に基づいて表示手段の表示状態を判別し、監視局は、上記判別手段の判定結果に基づいて機能基板の動作状態を監視するので、機能基板の異常を他の異常と切り分けて把握することが可能であり、よって基地局で発生した異常に対して迅速かつ的確な対応をとることができる。
【発明を実施するための最良の形態】
【００１１】
以下、図面を参照して本発明の実施の形態について説明する。
図１は、本実施形態に係る基地局の遠隔監視システムの構成を示すブロック図である。この遠隔監視システムは、図示するように基地局１と該基地局１から離間した位置に設けられたセンター局２（監視局）とから構成されている。基地局１は、図示のように制御基板１０、アプリケーション基板１１、監視基板１２及びバックプレーン１３を有している。なお、図１では省略してあるが、基地局１は、携帯電話の基地局として必要な他の構成（例えばアンテナやセンター局２との通信機能等）を適宜備えている。
【００１２】
制御基板１０は、基地局制御部１０ａ、ＬＥＤ制御部１０ｂ及びＬＥＤ１０ｃを有している。基地局制御部１０ａは、基地局１全体の動作を制御する主制御部として機能すると共に、ＬＥＤ制御部１０ｂに対して自らの状態に応じてＬＥＤ１０ｃの点灯を指示する。ＬＥＤ制御部１０ｂは、基地局制御部１０ａの指示に基づいてＬＥＤ１０ｃを点灯／消灯、点滅あるいは発光色変化させる。ＬＥＤ１０ｃは、制御基板１０のフロントパネルに設けられており、基地局制御部１０ａの状態を外部に報知する。このようなＬＥＤ１０ｃには、基地局制御部１０ａに対する電源供給の状態を示すもの、基地局制御部１０ａの正常/異常を示すもの等がある。
【００１３】
アプリケーション基板１１は、基地局に必要な個々のアプリケーション機能（例えば携帯電話との通信機能等）毎に複数設けられている。各アプリケーション基板１１は、図示するように基板制御部１１ａ、ＬＥＤ制御部１１ｂ及びＬＥＤ１１ｃを有している。基板制御部１１ａは、アプリケーション機能を担うと共に自らの状態に応じてＬＥＤ１１ｃの点灯をＬＥＤ制御部１１ｂに指示する。ＬＥＤ制御部１１ｂは、上記基板制御部１１ａから指示に基づいてＬＥＤ１１ｃを点灯／消灯、点滅あるいは発光色変化させる。ＬＥＤ１１ｃは、アプリケーション基板１１のフロントパネルに設けられており、基板制御部１１ａの状態を外部に報知する。このようなＬＥＤ１１ｃには、基板制御部１１ａに対する電源供給の状態を示すもの、基板制御部１１ａの正常/異常を示すもの及び基板制御部１１ａの動作状態（動作中／休止中）を示すもの等がある。
【００１４】
監視基板１２は、基板制御部１２ａ、カメラ制御部１２ｂ及びカメラモジュール１２ｃを有している。基板制御部１２ａは、センター局２から受信した監視要求に基づいてカメラ制御部１２ｂを制御することによりにカメラモジュール１２ｃに上記各ＬＥＤ１０ｃ，１１ｃの画像（ＬＥＤ画像）を撮影させると共に、カメラ制御部１２ｂを介してカメラモジュール１２ｃから取得した上記ＬＥＤ画像に基づいて各ＬＥＤ１０ｃ，１１ｃの発光状態を判定し、当該判定の結果をセンター局２に通知する。
【００１５】
カメラ制御部１２ｂは、基板制御部１２ａから入力される撮影指示に基づいてカメラモジュール１２ｃを制御すると共に、カメラモジュール１２ｃからＬＥＤ画像を取得して基板制御部１２ａに供給する。カメラモジュール１２ｃは、監視基板１２のフロントパネルに設けられており、カメラ制御部１２ｂの制御の元に上記ＬＥＤ画像を撮影してカメラ制御部１２ｂに出力する。
【００１６】
バックプレーン１３は、上記制御基板１０、各アプリケーション基板１１、監視基板１２及び基地局１を遠隔地で監視するセンター局２を相互接続する配線基板である。制御基板１０、各アプリケーション基板１１、監視基板１２及びセンター局２は、バックプレーン１３を介して信号の授受を行う。
【００１７】
このような制御基板１０、各アプリケーション基板１１及び監視基板１２は、図２に示すように、フロントパネル１ｂに設けられた各ＬＥＤ１０ｃ，１１ｃ及びカメラモジュール１２ｃの撮像用レンズ１２ｃlが互いに隣り合って略一平面上に並ぶようにラック１ａに収納されている。また、バックプレーン１３は、制御基板１０、各アプリケーション基板１１及び監視基板１２の背面側（フロントパネル１ｂの反対側）に設けられている。
【００１８】
また、フロントパネル１ｂの前面には当該フロントパネル１ｂに対向するように板状の反射鏡１ｃが設けられており、カメラモジュール１２ｃは、反射鏡１ｃを介して全てのＬＥＤ１０ｃ，１１ｃが含まれた画像を撮影する。反射鏡１ｃは、例えば基地局１の筐体のフロントドア１ｄに取り付けられた凹面鏡であり、その取付位置、取付角度及び鏡凹面の曲率ないし大きさ等により、撮像用レンズ１２ｃlから見たときに、制御基板１０、各アプリケーション基板１１及び監視基板１２の各フロントパネル１ｂにある全てのＬＥＤ１０ｃ，１１ｃが映り込むものとなっている（例えば、制御基板１０の最上段にあるＬＥＤは、撮像用レンズ１２ｃlから図中の点線矢印で示した反射経路で見える。）。すなわち、監視基板１２のカメラジュール１２ｃは、基地局１の機能基板の状態を示す全てのＬＥＤ１０ｃ，１１ｃを含む反射像を撮像する定点カメラとなっている。
【００１９】
次に、このように構成された本遠隔監視システムの動作について説明する。
本遠隔監視システムにおいて、監視基板１２における基板制御部１２ａは、センター局２から受信した監視要求に基づいてカメラ制御部１２ｂを制御することによりカメラモジュール１２ｃに制御基板１０のＬＥＤ１０ｃ及びアプリケーション基板１１のＬＥＤ１１ｃが映し出されたＬＥＤ画像を取得させる。そして、基板制御部１２ａは、カメラ制御部１２ｂを介して上記ＬＥＤ画像をカメラモジュール１２ｃから取得し、以下のような判定処理を施すことにより各ＬＥＤ１０ｃ，１１ｃの発光状態を判定し、その判定結果をセンター局２に通知する。
【００２０】
上記判定処理は、例えばＬＥＤ画像中の各ＬＥＤ１０ｃ，１１ｃの点灯又は消灯と点灯色を確認する次のような形態のものが挙げられる。
【００２１】
（１）各ＬＥＤ１０ｃ，１１ｃのそれぞれが各点灯色で点灯し又は消灯している点消灯状態のすべてのパターンについて、撮像画像に対応した各ＬＥＤ１０ｃ，１１ｃを含むＬＥＤ画像を予めそれぞれ取得し、これら画像の画像データをＬＥＤ画像データベースとして予め備えておく。そして、ＬＥＤ画像とＬＥＤ画像データベース中の各画像データとの相関関係を計算し（ＬＥＤ画像データベースにある各点消灯状態のパターン画像を基準として撮像画像とのパターン・マッチング処理等を行い）、撮像画像に最も近い画像の点消灯状態を当該撮像画像の各ＬＥＤ１０ｃ，１１ｃの点消灯状態として判別する。
【００２２】
（２）カメラジュール１２ｃが定点カメラであることから、ＬＥＤ画像における各ＬＥＤ１０ｃ，１１ｃの位置の座標を割り出すことが可能である。そこで、ＬＥＤ画像中の座標と各ＬＥＤ１０ｃ，１１ｃの位置関係を予め計算しておき、各ＬＥＤ１０ｃ，１１ｃの位置座標におけるＬＥＤ画像の色情報（ＲＧＢのデータ等）から当該各ＬＥＤ１０ｃ，１１ｃの点消灯状況（点灯中か消灯中か、どの点灯色で点灯中か等の状況）を判別する。
【００２３】
（３）上記（１）と（２）の形態による判別の方法を組み合わせ、より判別の精度が高い方法を採ることもできる。
【００２４】
また、判別部で行う画像処理としては、ＬＥＤ画像中の各ＬＥＤ１０ｃ，１１ｃの点滅状態を検出するものもある。点滅状態の検出は、例えば、カメラジュール１２ｃで連続撮像した複数のＬＥＤ画像を用い、同一のＬＥＤ（上記（２）の形態における位置座標等が同一のＬＥＤ）について点灯と消灯の画像が撮像されたか否かを判別することによって行う。あるいは、点滅状態のときに連続撮像される画像を予め上述のＬＥＤ画像データベースとして備えておき、連続撮像画像のそれぞれについて上記（１）の形態と同様に画像処理を行うことによって点滅状態を検出してもよい。
【００２５】
このような点滅状態の検出を行う場合、カメラジュール１２ｃとしては、各ＬＥＤ１０ｃ，１１ｃの点滅速度の２倍より速いシャッター速度でシャッターを切りながら各ＬＥＤ１０ｃ，１１ｃの連続撮像ができる機能を有するものを使用し、そのシャッター速度で連続撮像した各ＬＥＤ画像を判別部に転送する。ここで、各ＬＥＤ１０ｃ，１１ｃの点滅速度は、点滅時の点灯時間と消灯時間が等しいとした場合の点灯から次の点灯までの時間の間隔（点滅間隔）である。
【００２６】
例えば、１秒間隔で点滅する各ＬＥＤ１０ｃ，１１ｃを２倍の速度の０．５秒間隔でシャッターを切れるカメラジュール１２ｃによって連続撮像すると、時間軸上の０．０秒では消灯、０．５秒では点灯、１．０秒では消灯、１．５秒では点灯、２．０秒では消灯等の画像が撮像されるが、このような２倍のシャッター速度では、点灯から消灯に切り替わる瞬間と消灯から点灯に切り替わる瞬間が撮像され、ＬＥＤ画像から点滅を認識できない場合があり得るため、カメラジュール１２ｃでは、各ＬＥＤ１０ｃ，１１ｃの点滅速度の２倍より速いシャッター速度で各ＬＥＤ１０ｃ，１１ｃの連続撮像をする。
【００２７】
ただし、上記連続撮像は、点滅時の点灯時間と消灯時間が等しく、点灯時間と消灯時間が共に点滅間隔の５０％である場合に有効なものであり、点灯時間と消灯時間が異なる場合には、短い方の時間の間隔より速くカメラジュール１２ｃがシャッターを切る必要がある。例えば、点滅間隔が１．０秒、点灯時間が０．８秒、消灯時間が０．２秒である場合には、０．２秒より短い時間間隔でカメラジュール１２ｃがシャッターを切りながら連続撮像をする。すなわち、図３に示すように、時間軸ｔ上でのシャッター・タイミングをＳＴ、このシャッター・タイミングＳＴの時間間隔であるシャッター速度をＴST、各ＬＥＤ１０ｃ，１１ｃの点滅時の点灯時間をＴON、消灯時間をＴOFFとすると、監視基板１２のカメラジュール１２ｃは、“ＴST＜ＴONかつＴST＜ＴOFF”であるシャッター速度ＴSTでシャッターを切りながら各ＬＥＤ１０ｃ，１１ｃを連続撮像し、その連続撮像画像を用いて判別部が各ＬＥＤ１０ｃ，１１ｃの点滅状態を検出する。
【００２８】
なお、上述のように各ＬＥＤ１０ｃ，１１ｃの点灯状態を判別する判別部は、監視基板１２が有するものとしてもよく、制御基板１０が有するものとしてもよく、センター局２が有するものとしてもよい。要するに、ＬＥＤ画像を判別部まで転送し、判別部にて画像情報の比較等の上記画像処理を行い、最終的に判別結果を監視局であるセンター局２に通知できればよい。
【００２９】
例えば、予めＬＥＤ画像データベースを備え、判別部で上記（１）ないし（３）の形態等による画像処理を行う場合、本遠隔監視システムを適用する全基地局１で共通のＬＥＤ画像データベースが使用できるときには、センター局２にＬＥＤ画像データベースと判別部を備えることとした方が効率良く遠隔監視を実施することができる。これに対し、各基地局１の設置環境における調光の影響等によって各基地局１で個別のＬＥＤ画像データベースが必要となるときには、各基地局１内の監視基板１２や制御基板１０等に判別部とＬＥＤ画像データベースを備えることとした方が効率良く遠隔監視を実施することができる。ＬＥＤ画像データベースは、基地局１の機能基板数やＬＥＤ数が増えると膨大なサイズになることもあるので、どこに備えるかは適宜選定して効率の良い形態を採用するものとしてよい。
【００３０】
次に、上述のようにＬＥＤ画像に基づいて各ＬＥＤ１０ｃ，１１ｃの点灯状態を判別し、センター局２で機能基板の動作状態をモニタリングする遠隔監視の実施動作について説明する。図４は、センター局２において機能基板の動作状態をモニタリングして基地局１の異常を遠隔監視する動作の流れを示した図であり、“（ａ）監視基板１２に判別部がある場合”、“（ｂ）制御基板１０に判別部がある場合”及び“（ｃ）センター局２に判別部がある場合”の３つの場合を例として挙げ、それぞれの場合に送受信される要求及び通知によって遠隔監視の実施動作を表している。
【００３１】
監視基板１２による各ＬＥＤ１０ｃ，１１ｃの監視は、一定時間間隔等で常時行うものとしてもよいが、例えば、制御基板１０と他の機能基板との間の不具合等が生じて基地局１に異常が発生し、自動復旧が不可能な状況となったときに行うものとする。このとき、制御基板１０は、監視基板１２に対して各ＬＥＤ１０ｃ，１１ｃの撮像監視試験を要求するＬＥＤ監視要求を発し、それを受けた監視基板１２において基板制御部１２ａからカメラ制御部１２ｂに制御信号が供給されることによって各ＬＥＤ１０ｃ，１１ｃの監視が開始される。
【００３２】
また、センター局２においては、バックプレーン１３を介して各機能基板との通信を行うことができるので、その通信の不具合等の異常が発生して自動復旧が不可能な状況となったときには、制御基板１０に対して試験要求を発する。そして、センター局２からの試験要求を受けた制御基板１０は、監視基板１２に対してＬＥＤ監視要求を発し、これによっても前記同様にＬＥＤ１０ｃ，１１ｃの監視が開始される。なお、センター局２では、この試験要求を適宜発することにより、常時必要に応じて各ＬＥＤ１０ｃ，１１ｃの監視を行うようにすることも可能である。
【００３３】
図４中の“（ａ）監視基板１２に判別部がある場合”においては、制御基板１０からのＬＥＤ監視要求ないしセンター局２からの試験要求によって各ＬＥＤ１０ｃ，１１ｃの監視が開始されると、カメラモジュール１２ｃがＬＥＤ画像を撮像し、このＬＥＤ画像が示す各ＬＥＤ１０ｃ，１１ｃの点灯状態を監視基板１２の判別部が判別する。そして、判別結果の情報を通知する異常部ＬＥＤ情報通知を監視基板１２が制御基板１０に送出し、その異常部ＬＥＤ情報通知を制御基板１０がセンター局２に転送する。
【００３４】
異常部ＬＥＤ情報通知としては、例えば、その時点で予定される機能基板の正常な動作状態とは異なる動作状態を表示しているＬＥＤの点灯状態の情報（かかるＬＥＤを特定して異常な点灯状態を知らせる情報、又はかかるＬＥＤはなく、すべてのＬＥＤが正常な動作状態を表示していることを知らせる情報）、あるいは、単に点灯しているＬＥＤとその点灯色を知らせるＬＥＤの点灯情報等を通知する。
【００３５】
“（ｂ）制御基板１０に判別部がある場合”においては、制御基板１０からのＬＥＤ監視試験要求ないしセンター局２からの試験要求によって基地局内ＬＥＤの監視が開始されると、カメラモジュール１２ｃがＬＥＤ画像を撮像し、このＬＥＤ画像を撮像画像通知として監視基板１２が制御基板１０に送出する。そして、ＬＥＤ画像に基づいて各ＬＥＤ１０ｃ，１１ｃの点灯状態を制御基板１０の判別部が判別し、判別結果の情報を通知する異常部ＬＥＤ情報通知を制御基板１０がセンター局２に送信する。
【００３６】
“（ｃ）センター局に判別部がある場合”においては、制御基板１０からのＬＥＤ監視試験要求ないしセンター局２からの試験要求によって各ＬＥＤ１０ｃ，１１ｃの監視が開始されると、カメラモジュール１２ｃがＬＥＤ画像を撮像し、このＬＥＤ画像を撮像画像通知として監視基板１２が制御基板１０に送出する。そして、制御基板１０が監視基板１２から受けた撮像画像通知を試験要求のあった異常に対する通知としてセンター局２に転送し、センター局２において、ＬＥＤ画像に基づいて各ＬＥＤ１０ｃ，１１ｃの点灯状態を判別部が判別し、上記異常部ＬＥＤ情報通知の情報と同様の判別結果を得る。
【００３７】
センター局２では、このようにして異常部ＬＥＤ情報通知の情報が取得され、異常が発生した基地局１の各機能基板が正常に動作しているか否かが把握される。これにより、基地局１から遠隔にあるセンター局２において、各機能基板の動作状態を監視し、異常時に把握される機能基板の動作状態から異常の発生要因を判別することが可能となり、特に、各機能基板自体の動作状態が正常か否かが分かるので、異常の発生要因が基板自体の故障等の障害とそれ以外の障害のいずれであるかの切り分けができる。したがって、基地局１の異常に対し、例えば、機能基板を交換すれば復旧できるのか、それとも機能基板を交換しただけでは復旧できない可能性があるのか（バックプレーンの修繕等が必要となる可能性があるのか）といった執るべき措置の特定を現場に出向かずに遠隔ですることが可能となり、発生した異常に対して迅速な対応を図ることができる。
【００３８】
また、センター局２においては、異常部ＬＥＤ情報通知の情報に基づき、可能であれば遠隔マニュアル制御による復旧を試みることもできる。例えば、異常の発生要因として、機能基板に電源が入っているか否か、電源投入後の初期化動作は正常か否か等の見当を付けることができるので、その見当を付けた状態によってセンター局２からの遠隔マニュアル制御によるマニュアル復旧作業を試みることができる。さらに、必要に応じて試験要求を発することにより復旧作業の結果を見ることもでき、遠隔マニュアル制御による基地局の障害復旧時の正常動作検証等を行うこともできる。
【００３９】
一般的な基地局の遠隔監視では、バックプレーンでの通信によって異常を監視するに止まるのに対し、本遠隔監視システムでは、上述したように前面のフロントパネルにある各ＬＥＤ１０ｃ，１１ｃを監視しているので、機能基板自体に障害があるのか、それ以外に障害があるのかを判別することが可能になっている。例えば、各ＬＥＤ１０ｃ，１１ｃの点灯状態が正常であるにも拘わらず通信不能な異常がある場合には、機能基板の障害ではなくバックプレーン等の障害が発生した可能性を推認することができる。これにより、本遠隔監視システムは、遠隔による基地局故障等の監視と検出を行い、故障等に対する迅速な要因の判別と対応ができるものとなっている。
【００４０】
ここで、各ＬＥＤ１０ｃ，１１ｃは、各機能基板の動作状態を表示するものであり、本遠隔監視システム特有の構成として備えることも可能だが、通常の基地局においてフロントパネルに設けられている在来の基地局内ＬＥＤを利用してよい。在来の基地局内ＬＥＤは、本来、機能基板の開発段階等で電源が入ったかどうかや動作しているかどうかを開発者等が目で見て確認したり、設置工事の作業員が電源投入に対する反応があるかどうかを目で見て確認したり、巡回保守等をする監視員が動作状態を判別するために目で見て確認したりするものであって、基地局が通常の動作をしているときには利用されることがなく、主に現場での監視に供され、遠隔監視とは無縁のものである。
【００４１】
しかし、本遠隔監視システムは、上述したように基地局１の監視基板１２にカメラモジュール１２ｃを組み込み、各ＬＥＤ１０ｃ，１１ｃを遠隔監視の対象として取り込むことにより、ある機能基板での通信障害等が起こったときに、機能基板の故障等の障害とバックプレーンでの通信障害の切り分けができるようにし、異常の発生要因をいち早く判別することを可能にしている。
【００４２】
なお、上記図２の構成例では、カメラモジュール１２ｃの撮像用レンズ１２ｃlをフロントパネル１ｂに設置し、所定の位置関係にある凹面鏡の反射鏡１ｃを利用して各ＬＥＤ１０ｃ，１１ｃのすべてを撮像できるようにしたが、カメラモジュール１２ｃは、このような形態に限らず、監視対象とする所望のＬＥＤのすべてを撮像できるものであればよい。例えば、フロントパネル側で反射像を撮像する形態としては、反射鏡１ｃのような凹面鏡を利用するのに加え、カメラモジュール１２ｃに角度を付けて設置したり、撮像用レンズに凹レンズや凸レンズを用いたり、反射鏡に平面鏡や凸面鏡を用いたりしてもよく、これらを適宜組み合わせることによって監視対象ＬＥＤを撮像できるようにしてもよい。また、平面鏡、凹面鏡ないし凸面鏡等の反射鏡は、ＬＥＤの像を反射する任意の部材で構成するものとしてもよい。
【００４３】
また、反射鏡を用いず、監視対象ＬＥＤのすべてが含まれる視野を常にカメラモジュール１２ｃで直接捉えている形態を採用することもできる。例えば、図２の構成例における反射鏡１ｃの位置等にカメラモジュール１２ｃを設置し、その設置角度の選定や撮像用レンズ（凹レンズ、凸レンズ、広角レンズないし魚眼レンズ等）の選定等により、監視対象ＬＥＤを撮像領域に含めるようにして直接撮像するものとしてもよい。この場合のカメラは、フロントドア１ｄの所定の位置に設置することになるが、監視基板１２と有線ないし無線で接続することにより、カメラモジュール１２ｃと同様に動作させることができる。
【００４４】
さらに、基地局の制御技術の一つとして、基地局の中に試験用擬似端末を内蔵し、上記センター局のように離れた場所から無線部の監視や試験を行う技術がある。図５は、かかる試験用擬似端末を内蔵した基地局３の構成の概略を示した図である。基地局３は、図示のように基地局３全体の動作を制御する基地局主制御部３０、基地局主制御部３０の無線部と接続されたアンテナ３１、及び基地局主制御部３０とアンテナ３１の間に有線接続された試験用擬似端末３２を有している。
【００４５】
試験用擬似端末３２は、ＵＡＲＴ（Universal Asynchronous Receiver/Transmitter（万能非同期送受信機））やＵＳＢ（Universal Serial Bus（ユニバーサル・シリアル・バス））等のインターフェースを搭載しており、そのインターフェースを介して基地局主制御部３０からの試験要求の受信や基地局主制御部３０への結果応答の送信を行うと共に、上述したカメラモジュール１２ｃと同様機能のカメラを備えている。ただし、試験用擬似端末３２は、基地局３付近に設けられ、基地局主制御部３０とアンテナ３１の間には有線接続されるが、基地局主制御部３０との通信は無線で行う場合もある。
【００４６】
このような構成において、試験用擬似端末３２は、基地局主制御部３０からの試験要求に応じて図中の無線部試験経路を介する送受信動作の試験（例えば発呼や着呼の試験等）を行う。そして、その試験結果を結果応答として基地局主制御部３０が受けることにより、アンテナ入出力端における無線部の動作が正常であるかどうかの確認を行うことができるようになっている。
【００４７】
例えば、１ｘＥＶ−ＤＯ（1x Evolution Data Only）によるデータ通信ネットワークの基地局は、試験用擬似端末３２に相当するＴＡＴ（Test Access Terminal（疑似端末機能））基板を備えており、上記基地局３の一例に当たる。その基地局では、如何なる試験を行うかをＴＡＴ基板と基地局主制御部の間で制御しつつ、無線部の監視や試験を行う。例えば、無線部から外部へと出力される信号をＴＡＴ基板上のＡＴ（Access Terminal）に入力し、ＡＴの移動端末としての機能によって無線部の試験を行う。上記遠隔監視システムは、このような試験用擬似端末３２を内蔵する基地局３に関しては容易に実施することが可能である。すなわち、試験用擬似端末３２のカメラを用いて各ＬＥＤ１０ｃ，１１ｃのＬＥＤ画像を取得することにより上述した遠隔監視を実現することができる。
【図面の簡単な説明】
【００４８】
【図１】本発明の一実施形態に係る基地局の遠隔監視システムの構成を示すブロック図である。
【図２】本発明の一実施形態に係る基地局の遠隔監視システムにおける基地局１の外観構成を示す概要斜視図である。
【図３】本発明の一実施形態に係る基地局の遠隔監視システムにおいて、点滅するＬＥＤを連続撮像する場合を説明する模式図である。
【図４】本発明の一実施形態に係る基地局の遠隔監視システムにおいて、基地局１の異常を遠隔監視する動作の流れを示した図である。
【図５】本発明の一実施形態に係る基地局の遠隔監視システムにおいて、試験用擬似端末３２を内蔵した基地局３の構成の概略を示した図である。
【符号の説明】
【００４９】
１、３…基地局、２…センター局、１ｃ…反射鏡（反射手段）、１０  制御基板、１０ｃ、１１ｃ、１２ｄ…ＬＥＤ、１１…アプリケーション基板、１２…監視基板、１２ｂ…カメラ制御部、１２ｃ…カメラモジュール、３２…試験用擬似端末
【図１】
2007228495.tif 000003
【図２】
2007228495.tif 000004
【図３】
2007228495.tif 000005
【図４】
2007228495.tif 000006
【図５】
2007228495.tif 000007